(57)【要約】【課題】  受信装置において放送局から送信される信号の受信が困難な場合においても、当該放送局において放送される番組の視聴を可能とする。【解決手段】  放送局から送信される放送信号を受信する第１の受信手段、前記放送局から送信される前記放送信号に対応して、送信局から送信される送信信号を受信する第２の受信手段、および、前記放送信号または前記送信信号のいずれかの信号に基づいて、前記放送局において放送される番組に対応する映像および音声の再生を行なう番組再生手段を備える。【選択図】図１
2004364272.tif 000002
【特許請求の範囲】
【請求項１】
放送局から送信される放送信号を受信する第１の受信手段、
送信局から送信される送信信号を受信する第２の受信手段、
および、前記放送信号または前記送信信号のいずれかの信号に基づいて、前記放送局において放送される番組に対応する映像および音声の再生を行なう番組再生手段を備える受信装置。
【請求項２】
放送信号に対応するデータと、送信信号に対応するデータとは同一のデータであることを特徴とする請求項１に記載の受信装置。
【請求項３】
前記放送信号または前記送信信号のいずれか一方の信号を選択する信号選択手段をさらに備え、
番組再生手段は、前記信号選択手段によって選択された信号に基づいて、前記放送局において放送される番組に対応する映像および音声の再生を行なうように構成されてなる請求項１または２に記載の受信装置。
【請求項４】
第１の受信手段によって受信された放送信号に対応する信号と、第２の受信手段によって受信された送信信号に対応する信号とを比較して、当該受信装置の受信状態を判定する判定手段をさらに備え、
信号選択手段は、前記判定手段における判定の結果に基づいて信号の選択を行なうように構成されてなる請求項３に記載の受信装置。
【請求項５】
第１の受信手段によって受信された放送信号に対応する信号と、第２の受信手段によって受信された送信信号に対応する信号とを比較して、当該受信装置の受信状態を判定する判定手段、
および、該判定手段における判定の結果に基づいて、当該受信装置の受信状態を示す映像を生成する映像生成手段をさらに備える請求項１ないし３のいずれかに記載の受信装置。
【請求項６】
判定手段における判定の結果に基づいて、当該受信装置の受信状態を示す映像を生成する映像生成手段をさらに備える請求項４に記載の受信装置。
【請求項７】
映像生成手段は、当該受信装置における、放送信号に対する受信状態に対応する映像と、放送信号に対する受信状態に対応する映像とを別個に生成することを特徴とする請求項５または６に記載の受信装置。
【請求項８】
第１の受信手段によって受信された放送信号と、第２の受信手段によって受信された送信信号との間の遅延量を演算する遅延量演算手段、
および、前記放送信号または前記送信信号に対して前記遅延量演算手段において演算された前記遅延量を与えるバッファをさらに備える請求項１ないし７のいずれかに記載の受信装置。
【請求項９】
第１の受信手段によって受信された放送信号に対応するデータに対して誤り訂正処理をして、当該誤り訂正処理の結果、前記データにおいて誤り訂正をすることが不可能なデータを補完する補完データの送信を前記送信局に要求する誤り訂正手段をさらに備え、
第２の受信手段は、前記誤り訂正手段の前記要求に応じて前記送信局から送信される補完データに対応する信号を送信信号として受信するように構成されてなる請求項１または２に記載の受信装置。
【請求項１０】
誤り訂正手段は、送信局において補完データに対応する補完信号の変調に使用する変調方式を選択し、当該選択した変調方式に対応する信号を前記送信局に送信するように構成されてなる請求項９に記載の受信装置。
【請求項１１】
第１の受信手段によって受信された放送信号に対応するデータに対して誤り訂正処理をして、当該データにおいて前記誤り訂正が不可能なデータに関する情報に対応する信号を出力する誤り訂正手段、
該誤り訂正手段から出力された前記信号に対応する、前記誤り訂正が不可能なデータに関する情報を蓄積する誤り情報蓄積手段、
および、該誤り情報蓄積手段に蓄積された前記情報に基づいて、当該受信装置の受信状態を予測して、当該予測の結果に応じて補完データの送信を送信局に要求する受信状態予測手段をさらに備える請求項１または２に記載の受信装置。
【請求項１２】
誤り訂正部において得られる、誤り訂正が不可能なデータに関する情報は、送信信号に対応するデータにおける誤りデータの数であることを特徴とする請求項１１に記載の受信装置。
【請求項１３】
誤り訂正部において得られる、誤り訂正が不可能なデータに関する情報は、送信信号に対応するデータに対応するビットエラーレートであることを特徴とする請求項１１に記載の受信装置。
【請求項１４】
第１の受信手段によって受信された放送信号に対応するデータに対して誤り訂正処理をして、当該データにおいて前記誤り訂正が不可能なデータに関する情報に対応する信号を出力する誤り訂正手段、
および、該誤り訂正手段から出力された前記信号に応じて送信局から送信される、補完データに対応する課金情報と、前記誤り訂正が不可能なデータに関する情報に対応する信号とに基づいて、当該受信装置が前記補完データを取得した場合に生じる料金が表示される映像を生成する映像生成手段をさらに備える請求項１または２に記載の受信装置。
【請求項１５】
映像生成手段は、当該受信装置が取得した補完データに対応する料金の合計額を表示する映像を生成するように構成されてなる請求項１４に記載の受信装置。
【請求項１６】
放送局から送信される放送信号を受信し、
送信局から送信される送信信号を受信し、
前記放送信号または前記送信信号のいずれかの信号に基づいて、前記放送局において放送される番組に対応する映像および音声を再生することを含む受信方法。
【発明の詳細な説明】
【技術分野】
【０００１】
この発明は、放送局から送信される放送信号、または無線通信局から送信される送信信号を受信して、前記放送信号または送信信号に対応する映像および音声を再生する受信装置に関する。
【背景技術】
【０００２】
従来、デジタルテレビ放送等を行なう放送局は、自局において放送する番組に対応するデータを、各放送局に割り当てられた所定の周波数帯域の電波に変調することによって前記番組のデータに対応する信号を送信する。そして、前記番組を視聴する利用者は、受信装置（例えば、テレビ等）を利用し、複数の放送局から送信された信号の中から、所望の放送局に対応する信号を抽出して復調することで、前記番組に対応する映像および音声を再生する（例えば、非特許文献１）。
【０００３】
【非特許文献１】日本放送協会編、「ＮＨＫテレビ技術教科書（上）」、日本放送出版協会、１９９１年４月２０日、ｐ．９６−１０５
【発明の開示】
【発明が解決しようとする課題】
【０００４】
しかしながら、各放送局から送信される信号の到達範囲には限界がある。また、回折や反射などの影響も受けるため、前記信号を良好に受信することのできる位置にも制限がある。そのため、ある地点では、放送局から送信された前記信号を受信して前記番組を視聴することができても、別のある地点では、放送局からの距離や、建物などによる回折や反射などの影響で、当該受信装置の受信状態が悪くなり前記番組の視聴を行なえなくなってしまう場合がある。
【０００５】
そこで、この発明は上述のような課題を解決するためになされたものであって、受信装置において放送局から送信される信号の受信が困難な場合においても、当該放送局において放送される番組の視聴を可能とすることを目的とする。
【課題を解決するための手段】
【０００６】
本発明に係る受信装置は、放送局から送信される放送信号を受信する第１の受信手段、前記放送局から送信される前記放送信号に対応して、送信局から送信される送信信号を受信する第２の受信手段、および、前記放送信号または前記送信信号のいずれかの信号に基づいて、前記放送局において放送される番組に対応する映像および音声の再生を行なう番組再生手段を備える。
【発明の効果】
【０００７】
本発明に係る受信装置によれば、当該受信装置の受信状態が悪いために放送局から送信される信号の受信が困難な場合においても、当該放送局において放送される番組を視聴することができる。
【発明を実施するための最良の形態】
【０００８】
実施の形態１．
図１は、実施の形態１における受信装置２５１の構成を示すブロック図である。なお、実施の形態１においては、受信装置２５１が移動可能な端末装置（例えば、携帯型の端末装置）である場合について説明する。また、当該受信装置２５１においてデジタルテレビ放送に対応する映像および音声を再生する場合を一例として説明する。
【０００９】
図１において、放送局１Ａ、１Ｂ・・・からは、当該放送局１Ａ、１Ｂ・・・で放送される番組に対応する信号（以下、放送信号という。）が送信される。なお、当該放送局１Ａ、１Ｂ・・・は、受信装置２５１に設定されるチャンネルの数に応じて複数あるものとし、以下の説明では前記複数の放送局を総称して放送局１という。また、前記チャンネルは、各放送局が放送信号を送信する際に使用する所定の周波数帯域毎に設定される。また、前記放送信号は各放送局において所定の変調方式（例えば、１６ＱＡＭ、６４ＱＡＭ、ＱＰＳＫ、ＤＱＰＳＫ等）により変調され、電波によって送信される。なお、前記チャンネルおよび前記変調方式は当該受信装置２５１を使用するシステムの環境に応じて任意に設定することができる。
【００１０】
また、送信局１１Ａ、１１Ｂ・・・は、前記放送局１によって送信される前記放送信号に対応するデータと同一のデータに対応する信号（以下、送信信号という。）を、前記放送局１において使用される変調方式と異なる変調方式によって変調して無線によって送信する。
【００１１】
なお、当該送信局１１Ａ、１１Ｂ・・・から送信される前記送信信号に対応するデータは、前記放送局１から送信された放送信号に対応するデータを有線回線（図示せず）を使用して取得する。
【００１２】
また、当該送信局１１は、山間部、建物の内部、高層ビル付近またはトンネル内など、当該受信装置２５１の受信状態が悪くなる可能性が高い場所に設置される。そして、無線ＬＡＮ等を使用してホットスポット等の通信可能領域を形成し、当該通信可能領域に前記送信信号を送信する。なお、送信局１１Ａ、１１Ｂ・・・は、前記放送局１の数に対応して複数設置されるものとし、以下の説明においては前記送信局１１Ａ、１１Ｂ・・・を総称して送信局１１という。
【００１３】
受信装置２５１は、各放送局１によって送信され、無線放送回線２を介して当該受信装置２５１に到達した複数の前記放送信号を受信する第１の回線インターフェース３と、該第１の回線インターフェース３によって受信された前記複数の放送信号から、後述するチャンネル選択部１０によって指定された放送局１に対応する放送信号を抽出して増幅する第１の高周波増幅／検波部４と、増幅した前記放送信号をデジタル信号に変換する第１のＡ／Ｄ変換部２６と、該第１のＡ／Ｄ変換部２６から出力されたデジタル信号を復調、復号して映像信号および音声信号を出力する第１の復調／復号部５と、該第１の復調／復号部５から出力された前記映像信号をモニタ８で表示可能な信号に復調して出力するビデオ受信部６と、前記第１の復調／復号部５から出力された前記音声信号をスピーカ９で再生可能な信号に復調して出力する音声受信部７とを備える。なお、以下の説明においては前記ビデオ受信部６から出力された映像信号を第１の映像信号といい、前記音声受信部７から出力された音声信号を第１の音声信号という。また、前記無線放送回線２は、前記放送局１から当該受信装置２５１までの伝送路を意味し、当該無線放送回線２は無線である。
【００１４】
また、受信装置２５１は、各送信局１１によって送信され、無線通信回線１２を介して当該受信装置２５１に到達した複数の前記送信信号を受信する第２の回線インターフェース１３と、該第２の回線インターフェース１３によって受信された前記複数の送信信号から、前記チャンネル選択部１０によって指定された送信局１１に対応する送信信号を抽出して増幅する第２の高周波増幅／検波部１４と、該第２の高周波増幅／検波部１４において増幅された前記送信信号をデジタル信号に変換する第２のＡ／Ｄ変換部２７と、該第２のＡ／Ｄ変換部２７から出力されたデジタル信号を復調、復号して映像信号および音声信号を出力する第２の復調／復号部１５と、該第２の復調／復号部１５から出力された前記映像信号をモニタ８で表示可能な信号に復調して出力するビデオ再生部１６と、前記第２の復調／復号部１５から出力された前記音声信号をスピーカ９で再生可能な信号に復調して出力する音声再生部１７とを備える。なお、以下の説明においては、前記ビデオ再生部１６から出力された映像信号を第２の映像信号といい、前記音声再生部１７から出力された音声信号を第２の音声信号という。また、前記無線通信回線１２は、前記送信局１１から当該受信装置２５１までの伝送路を意味し、当該無線通信回線１２は無線である。
【００１５】
さらに、当該受信装置２５１は、前記放送信号または前記送信信号に基づいて得られた映像信号をアナログ信号に変換する第１のＤ／Ａ変換部２８と、前記放送信号または前記送信信号に基づいて得られた音声信号をアナログ信号に変換する第２のＤ／Ａ変換部２９と、前記第１のＤ／Ａ変換部２８によってアナログ信号に変換された映像信号に対応する映像を表示するモニタ８と、前記第２のＤ／Ａ変換部２９によってアナログ信号に変換された音声信号に対応する音声を再生するスピーカ９とを備える。
【００１６】
また、受信装置２５１は、ビデオ受信部６から出力される映像信号、またはビデオ再生部１６から出力される映像信号のいずれかを選択する映像選択部１８と、音声受信部６から出力される音声信号、または音声再生部１６から出力される音声信号のいずれかを選択する音声選択部１９とを備える。
【００１７】
すなわち、受信装置２５１は、前記放送信号に対応する映像信号および音声信号の再生を行なうか、または前記送信信号に対応する映像信号および音声信号の再生を行なうかの選択を行なうことができるように構成される。なお、映像選択部１８または音声選択部１９における選択は、ユーザーが当該受信装置２５１における操作部（図示せず）を操作することにより行なう。具体的に説明すると、ユーザーが前記操作部を操作することにより信号選択部２０から信号（以下、選択信号という。）が出力され、前記映像選択部１８は前記選択信号に応じて放送信号または送信信号のいずれかの信号に対応する映像信号を選択して出力し、前記音声選択部１９は前記選択信号に応じて放送信号または送信信号のいずれかの信号に対応する音声信号を選択して出力する。
【００１８】
また、上述のように、第１の高周波増幅／検波部４および第２の高周波増幅／検波部１４は、前記チャンネル選択部１０によって指定された放送信号または送信信号を抽出するが、前記チャンネル選択部１０による指定もまた、ユーザーが前記操作部を操作することによって行なう。すなわち、ユーザーが前記操作部を操作することにより当該受信装置２５１に設定されたチャンネルを指定すると、当該チャンネルに対応する信号（以下、チャンネル信号という。）がチャンネル選択部１０から、第１の高周波増幅／検波部４および第２の高周波増幅／検波部１４に出力される。
【００１９】
したがって、例えば、放送局１Ａから送信された放送信号と、送信局１１Ａから送信される送信信号とが対応する場合、ユーザーが前記操作部を操作することにより、放送局１Ａに対応するチャンネルを指定すると、チャンネル選択部１０から前記チャンネル信号が出力され、前記第１の高周波増幅／検波部４は前記チャンネル信号に応じて前記放送局１Ａから送信された放送信号を抽出し、前記第２の高周波増幅／検波部１４は前記チャンネル信号に応じて送信局１１Ａから送信された送信信号を抽出する。
【００２０】
受信装置２５１は、前記放送局１から送信される放送信号を受信して映像または音声の再生を行なう。そして、ユーザーは、移動しながら受信装置２５１によって放送局１において放送される番組の視聴をする。
【００２１】
ユーザーの移動中に当該受信装置２５１の受信状態が悪くなった場合、ユーザーは前記操作部を操作することにより、前記映像および音声の再生に使用する信号を放送信号から送信信号に切替える。そうすると、前記モニタ８においては前記送信信号に対応する映像信号に基づいて映像が表示され、前記スピーカ９においては前記送信信号に対応する音声信号に基づいて音声の再生が行なわれる。
【００２２】
前記送信信号を送信する送信局１１は、上述のように山間部やビル付近等、当該受信装置２５１の受信状態が悪くなる場所に予め設置される。よって、ユーザーが前記操作部を操作して、映像および音声の再生に使用する信号を切替えることによって、当該ユーザーは良好な映像および音声により所望の番組を視聴することができる。
【００２３】
なお、前記受信状態が悪いか否かの判断は、前記モニタ８において表示される映像の品質（画質）が悪くなった（映像が乱れる等）、または前記スピーカ９から出力される音声が乱れた等によってユーザーが行なう。
【００２４】
以上の説明のように、実施の形態１における受信装置２５１によれば、当該受信装置２５１の受信状態が悪くなった場合においても、良好な映像および音声を得ることができる。
【００２５】
また、当該受信装置２５１の受信可能な領域を実質的に拡大することができる。
【００２６】
実施の形態２．
図２は、実施の形態２における受信装置２５２の構成を示すブロック図である。なお、図２において前記実施の形態１の受信装置２５１と同様の構成については同一の符号を付記し、説明は省略する。
【００２７】
図２において、ビデオ受信部６から出力された第１の映像信号、およびビデオ再生部１６から出力された第２の映像信号は第１の判定回路２１Ａに入力される。また、同様に、音声受信部７から出力された第１の音声信号、および音声再生部１７から出力された第２の音声信号は第２の判定回路２１Ｂに出力される。
【００２８】
第１の判定回路２１Ａは、前記第１の映像信号と前記第２の映像信号とを比較する。前記第１の判定回路２１Ａは、当該比較により、放送信号または送信信号のいずれの信号が当該受信装置２５２において良好に受信されているかを判断して、前記放送信号または前記送信信号のいずれの信号を選択するかを示す信号（以下、第１の判定信号という。）を信号選択部２０に出力する。
【００２９】
同様に、判定回路２１Ｂは、前記第１の音声信号と前記第２の音声信号とを比較する。そして、当該比較によって、放送信号または送信信号のいずれの信号が当該受信装置２５２において良好に受信されているかを判断して、前記放送信号または前記送信信号のいずれの信号を選択するかを示す信号（以下、第２の判定信号という。）を信号選択部２０に出力する。
【００３０】
なお、前記第１の判定回路２１Ａおよび前記第２の判定回路２１Ｂにおける受信状態の良否の判断は、例えば、前記放送信号および送信信号を誤り訂正した結果得られる、放送信号における誤りデータの数（以下、誤り数という。）と、送信信号における誤り数とを比較することによって行なってもよいし、当該誤り数からビットエラーレートを演算し、当該ビットエラーレートを比較することによって行なってもよい。
【００３１】
信号選択部２０は、前記第１の判定信号に基づいて、放送信号または送信信号のいずれの信号に基づいて映像の再生を行なうかを決定し、当該決定に対応する信号を映像選択部１８に出力する。そして、当該映像選択部１８は、前記信号選択部２０から出力された信号に応じて、第１の映像信号または第２の映像信号を選択して第１のＤ／Ａ変換部２８に出力する。
【００３２】
また、信号選択部２０は、前記第２の判定信号に基づいて、放送信号または送信信号のいずれの信号に基づいて音声の再生を行なうかを決定し、当該決定に対応する信号を音声選択部１９に出力する。そして、当該音声選択部１９は、前記信号選択部２０から出力された信号に応じて、第１の音声信号または第２の音声信号を選択して第２のＤ／Ａ変換部２９に出力する。
【００３３】
以上の説明のように、実施の形態２における受信装置２５２によれば、当該受信装置２５２の受信状態が悪い場合であっても良好な映像および音声の再生をすることができる。
【００３４】
また、当該受信装置２５２の受信可能な領域を実質的に拡大することができる。
【００３５】
さらに、ユーザーの操作を必要とすることなく、自動的に、放送信号または映像信号のいずれの信号に基づいて映像および音声の再生を行なうかを選択することができる。
【００３６】
実施の形態３．
図３は、実施の形態３における受信装置２５３の構成を示すブロック図である。なお、図３において、前記実施の形態１または２において説明した構成と同様の構成については同一の符号を付記し、説明を省略する。
【００３７】
図３において、第１の判定回路２１Ａから出力された第１の判定信号、および第２の判定回路２１Ｂから出力された第２の判定信号は、グラフィックスジェネレータ２２に入力される。そして、グラフィックスジェネレータ２２は、入力された第１の判定信号および第２の判定信号に基づいて当該受信装置２５３の受信状態を示す映像を生成して、当該生成した映像に対応する信号を加算器３３に出力する。
【００３８】
加算器３３は、前記グラフィックスジェネレータ２２から出力された信号と、映像選択部１８から出力された信号とを合成して、当該合成した信号を第１のＤ／Ａ変換部２８に出力する。当該第１のＤ／Ａ変換部２８は、前記加算器３３から出力された信号をアナログ信号に変換してモニタ８に出力し、前記モニタ８は前記アナログ信号に基づいて映像を画面上に表示する。
【００３９】
そうすると、当該モニタ８の画面上には、前記映像選択部１８から出力された映像信号に対応する映像と、前記グラフィックスジェネレータ２２によって生成された、当該受信装置２５３の受信状態を示す映像とが表示される。
【００４０】
そして、ユーザーは、前記モニタ８に表示された受信状態を示す映像に基づいて、放送信号または送信信号のいずれの信号に基づいて映像および音声の再生を行なうかを選択して、前記操作部の操作を行なう。
【００４１】
なお、前記グラフィックスジェネレータ２２によって生成される映像は、例えば、当該受信装置２５３において映像および音声の視聴を良好に行なうことができる場合の受信状態を１００とし、第１の判定信号および第２の判定信号に基づいて、前記受信状態が前記１００に対してどの程度の数値であるかを演算した結果を画面上にバーグラフの形で表示する。なお、バーグラフは、図４に示すように、放送信号に対する受信状態を示すバーグラフと、送信信号に対する受信状態を示すバーグラフとを別々に表示する。したがって、ユーザーは、２つのバーグラフを比較することによって、放送信号または送信信号のいずれの信号が、より良好に受信されているかを確認することができる。そして、ユーザーは、受信状態を確認したうえで、より良好な受信状態にある信号を選択することができる。
【００４２】
なお、グラフィックスジェネレータ２２によって生成された映像の表示方法は、上述した態様に限らず、ビデオ受信部６またはビデオ再生部１６から出力された映像信号に対応する映像に重ねてモニタ８の画面上に表示され、放送信号に対する受信状態または送信信号に対する受信状態のいずれの受信状態が、より良好であるかを判断することができれば他の態様であってもよい。
【００４３】
例えば、より良好な受信状態にある信号の名称のみ（すなわち放送信号または送信信号のいずれか一方）を表示してもよいし、現在再生している映像および音声に対応する信号と異なる信号に対する受信状態が良好となった場合に、信号切替えを指示する旨の表示をするような態様であってもよい。
【００４４】
また、前記グラフィックスジェネレータ２２によって生成された映像は、モニタ８の画面上に常に表示されていてもよいし、当該映像を表示することを指示する指示ボタンなどを当該受信装置２５３の操作部に設けて、当該指示ボタンを操作したときにのみ前記映像が表示されるようにしてもよい。また、現在再生している映像および音声に対応する信号と異なる信号に対する受信状態が良好となった場合にのみ、所定の時間だけ、信号の切替えを指示する旨を表示するようにしてもよい。
【００４５】
なお、実施の形態３においては、グラフィックスジェネレータ２２によって生成された映像をモニタ８の画面上に表示し、ユーザーが、当該映像に基づいて放送信号または送信信号のいずれかの信号を手動で選択する場合について説明したが、実施の形態３における受信装置２５３と前記実施の形態２における受信装置２５２とを組み合わせることにより、信号の選択を自動的に行なうようにしてもよい。
【００４６】
具体的には、実施の形態３における受信装置２５３において、第１の判定信号および第２の判定信号を信号選択部２０に入力し、当該信号選択部２０を前記実施の形態２において説明した動作と同様の動作をするように構成すればよい。また、放送信号または送信信号のいずれかを自動的に切替えることができるとともに、ユーザーの操作による信号の切替えもできるように構成してもよい。
【００４７】
以上の説明のように、実施の形態３における受信装置２５３によれば、グラフィックスジェネレータ２２を設けることで、ユーザーが当該受信装置２５３の受信状態を目視で確認することできる。そして、ユーザーは、受信状態を示す映像に基づいて信号の選択を行なうことができる。
【００４８】
実施の形態４．
図５は、実施の形態４における受信装置２５４の構成を示すブロック図である。なお、図５において、前記実施の形態１ないし３において説明した構成と同様の構成については同一の符号を付記し、説明を省略する。
【００４９】
前記実施の形態１ないし３における受信装置は、映像選択部１８および音声選択部１９によって、放送信号または送信信号のいずれかに基づいて映像および音声の再生を行なうが、前記放送信号と前記送信信号とは必ずしも同期しているとは限らない。したがって、両信号間で遅延が生じる場合がある。当該遅延は、モニタ８に表示される映像またはスピーカ９から出力される音声の途切れ等の原因となる。そこで、実施の形態４における受信装置２５４は、上述した映像や音声の途切れを解消するために、比較遅延差算出部２３および可変バッファ２４を利用する。以下、受信装置２５４の動作について説明する。
【００５０】
図５において、ビデオ受信部６から出力された第１の映像信号、およびビデオ再生部１６から出力された第２の映像信号は、第１の比較遅延差算出部２３Ａに入力される。また、音声受信部７から出力された第１の音声信号、および音声再生部１７から出力された第２の音声信号は、第２の比較遅延差演算部２３Ｂに出力される。
【００５１】
第１の比較遅延差算出部２３Ａは、入力された第１の映像信号と第２の映像信号とを比較して、両信号間でどの程度の遅延が生じているかを演算する。そして、当該演算の結果得られる遅延量（以下、第１の遅延量という。）に対応する信号（以下、第１の遅延信号という。）を第１の可変バッファ２４Ａおよび第２の可変バッファ２４Ｂに出力する。なお、前記遅延量の演算は、例えば、前記第１の映像信号に含まれるタイムスタンプと、前記第２の映像信号に含まれるタイムスタンプとを比較することにより行なうことができる。
【００５２】
一方、第２の比較遅延差算出部２３Ｂは、入力された第１の音声信号と第２の音声信号とを比較して、両信号間における遅延量（以下、第２の遅延量という。）を演算する。そして、当該第２の遅延量に対応する信号（以下、第２の遅延信号という。）を第３の可変バッファ２４Ｃおよび第４の可変バッファ２４Ｄに出力する。なお、当該第２の遅延量の演算も、前記第１の音声信号に含まれるタイムスタンプと、前記第２の音声信号に含まれるタイムスタンプとを比較することにより行なうことができる。
【００５３】
前記第１の可変バッファ２４Ａには、前記ビデオ受信部６から出力された第１の映像信号および前記第１の遅延信号が入力される。また、第２の可変バッファ２４Ｂには、ビデオ再生部１６から出力された第２の映像信号および前記第１の遅延信号が入力される。各可変バッファ２４Ａ、２４Ｂは、前記第１の遅延信号に対応する第１の遅延量に基づいて、入力された映像信号に対して遅延量を与える。
【００５４】
具体的に説明すると、例えば、前記第１の映像信号に対して前記第２の映像信号が遅延量Ｄ１だけ遅延している場合、前記第１の可変バッファ２４Ａにおいて前記第１の映像信号に遅延量Ｄ１を与え、前記第２の可変バッファ２４Ｂにおいては前記第２の映像信号に対して遅延量を与えない。
【００５５】
そして、前記第１の遅延量に基づいて遅延の調整が行なわれた、第１の映像信号および第２の映像信号は、映像選択部１８に入力される。
【００５６】
一方、前記第３の可変バッファ２４Ｃには、前記音声受信部７から出力された第１の音声信号および前記第２の遅延信号が入力される。また、第４の可変バッファ２４Ｄには、音声再生部１７から出力された第２の音声信号および前記第２の遅延信号が入力される。各可変バッファ２４Ｃ、２４Ｄは、前記第２の遅延信号に対応する第２の遅延量に基づいて、入力された音声信号に対して遅延量を与える。そして、前記第２の遅延量に基づいて遅延差の調整が行なわれた、第１の音声信号および第２の音声信号は、音声選択部１９に入力される。
【００５７】
上述のように、第１の可変バッファ２４Ａおよび第２の可変バッファ２４Ｂにより、第１の映像信号と第２の映像信号との間の遅延が調整され、前記映像選択部１８に入力された、前記第１の映像信号と前記第２の映像信号とは同期する。また、第３の可変バッファ２４Ｃおよび第４の可変バッファ２４Ｄにより、第１の音声信号と第２の音声信号との間の遅延が調整され、前記音声選択部１９に入力された、前記第１の音声信号と前記第２の音声信号とは同期する。
【００５８】
以上の説明のように、実施の形態４における受信装置２５４によれば、放送信号と映像信号との間に遅延が生じている場合でも、当該遅延に起因する映像または音声の途切れ等を防止することができる。
【００５９】
なお、実施の形態４における受信装置２５４は、前記実施の形態１ないし３における受信装置と組み合わせることもできる。例えば、前記実施の形態２における受信装置２５２と組み合わせる場合には、前記第１の比較遅延差算出部２３Ａ、第１の可変バッファ２４Ａおよび第２の可変バッファ２４Ｂを第１の判定回路２１Ａと並列に設け、また前記第２の比較遅延差算出部２３Ｂ、第３の可変バッファ２４Ｃおよび第４の可変バッファ２４Ｄを前記第２の判定回路２１Ｂと並列に設ければよい。
【００６０】
実施の形態５．
図６は、実施の形態５における受信装置２５５の構成を示すブロック図である。なお、図６において前記実施の形態１ないし４において説明した構成と同様の構成については同一の符号を付記し、説明を省略する。
【００６１】
図６において、第１の復調／復号部５から出力された信号（以下、復調信号という。）は第１の誤り訂正部３０に出力される。当該第１の誤り訂正部３０は第１の前記復調／復号部５から出力された復調信号に対して誤り訂正処理を行なう。そして、入力される復調信号に対応するデータにおいて、誤り訂正が不可能であるデータがあった場合、当該誤り訂正が不可能であったデータに対応する信号（以下、訂正不可信号という。）を送信局１１に出力する。
【００６２】
例えば、日本における地上デジタルＴＶ放送のように、リードソロモン符号を適用して符号化された信号を復号して誤り訂正する際には、誤り位置多項式による演算等によって、入力されたデータが誤り訂正可能であるか否かの判断を行なうことができる。当該第１の誤り訂正部３０は、上述のような判断に基づいて前記訂正不可信号を出力する。
【００６３】
なお、前記訂正不可信号は、当該受信装置２５５において受信している放送信号に対応するデータと同一のデータに対応する送信信号を送信する送信局１１に出力される。
【００６４】
前記訂正不可信号を受信した送信局１１は、当該訂正不可信号に応じて、前記第１の誤り訂正部３０において誤り訂正が不可能であったデータを補完するデータ（以下、補完データという。）に対応する信号（以下、補完信号という。）を受信装置２５５に出力する。
【００６５】
送信局１１から送信された前記補完信号は、当該受信装置２５５における第２の回線Ｉ／Ｆ１３に入力された後、第２の高周波増幅／検波部１４から第２の誤り訂正部３１までの各部の処理によって復調、誤り訂正等が行なわれる。そして、当該復調等をした結果得られる、映像信号はビデオ再生部１６を介して第１のバッファ４１に出力され、音声信号は音声再生部１７を介して第２のバッファ４２に出力される。
【００６６】
前記第１のバッファ４１は、ビデオ受信部６から出力された第１の映像信号と、前記ビデオ再生部１６から出力された第２の映像信号とを合成して、前記第１の映像信号に対応するデータにおいて誤り訂正不可能であったデータを前記第２の映像信号に対応する補完データによって補完する。そして、当該補完後のデータに対応する信号を第１のＤ／Ａ変換部２８に出力する。
【００６７】
一方、前記第２のバッファ４２は、音声受信部７から出力された第１の音声信号と、前記音声再生部１７から出力された第２の音声信号とを合成して、前記第１の音声信号に対応するデータにおいて誤り訂正不可能であったデータを前記第２の音声信号に対応する補完データによって補完する。そして、当該補完後のデータに対応する信号を第２のＤ／Ａ変換部２９に出力する。
【００６８】
以上の説明のように、実施の形態５における受信装置２５５によれば、受信した放送信号に対応する復調信号に対して誤り訂正をした結果、当該復調信号に対応するデータに誤り訂正が不可能なデータがであった場合でも、送信局１１から当該誤り訂正不可能であったデータに対応する補完データを得ることができる。したがって、当該受信装置２５５において放送信号に対する受信状態が悪い場合でも、前記補完データを利用することによって映像および音声の再生を良好に行なうことができる。
【００６９】
なお、前記送信局１１から前記訂正不可信号に応じて補完信号を送信する場合、当該補完信号に対応する補完データに付加するエラー訂正パケットの数を変更してもよい。前記送信局１１から訂正不可信号に応じて前記補完信号を送信する際に当該補完データに付加するエラー訂正パケットの数を増やした場合には、受信装置２５５の第１の誤り訂正部３０において前記復調信号に対する誤り訂正をより確実に行なうことが可能となる。すなわち、前記第１の誤り訂正部３０の誤り訂正能力を実質的に高くすることができる。
【００７０】
また、前記送信局から前記訂正不可信号に応じて補完信号を送信する場合、当該補完信号に対応する補完データを割り当てるキャリアの変調方式を変更してもよい。例えば、当該キャリアの変調方式としてはＤＱＰＳＫ、ＱＰＳＫ、１６ＱＡＭ、６４ＱＡＭ等がある。一般に、多値数が少ない変調方式は雑音の影響を受けにくい。したがって、例えば、受信装置２５５の送信信号に対する受信状態が悪くなった場合には、６４ＱＡＭから１６ＱＡＭに変調方式を変更する。
【００７１】
なお、当該受信装置２５５における受信状態の良否の判断は、例えば、前記第１の誤り訂正部３０において得られる訂正不可信号に対応する誤り数と所定のしきい値とを比較し、前記誤り数が前記しきい値以上の場合には受信状態が悪く、前記誤り数が前記しきい値よりも小さい場合には受信状態が良いというように判断することができる。
【００７２】
また、前記変調方式の変更は前記送信局１１によって行なうが、当該変調方式の選択は、当該受信装置２５５において行なってもよいし、送信局１１において行なってもよい。なお、受信装置２５５における変調方式の選択は以下のように行なうことができる。例えば、しきい値Ｔｈ１、Ｔｈ２、Ｔｈ３をＴｈ１＞Ｔｈ２＞Ｔｈ３となるように第１の誤り訂正部３０に設定し、当該第１の誤り訂正部３０において得られる前記訂正不可信号に対応する誤り数ｅが、Ｔｈ３よりも小さい場合には１６ＱＡＭ、Ｔｈ３以上であってＴｈ２よりも小さい場合には６４ＱＡＭ、Ｔｈ２以上であってＴｈ１よりも小さい場合にはＱＰＳＫ、Ｔｈ１以上である場合にはＤＱＰＳＫというように変調方式を選択する。以上説明した、前記しきい値と誤り数との関係をまとめると図７のようになる。
【００７３】
そして、上述のように変調方式の選択を行なった受信装置２５５は、前記第１の誤り訂正部３０から送信局１１に訂正不可信号を送信する際に、当該選択した変調方式に対応する信号を送信する。なお、前記送信局１１において変調方式を選択する場合にも上述の方法を適用することができる。
【００７４】
なお、以上の説明においては、前記第１の誤り訂正部３０における誤り訂正の結果、前記復調信号に対応するデータにおいて誤り訂正不可能なデータがある場合に、当該第１の誤り訂正部３０から信号を送信する場合について説明したが、当該第１の誤り訂正部３０から定期的に誤り訂正の結果に対応する信号（以下、訂正結果信号という。）を送信局１１に出力し、当該信号を受信した送信局１１は、定期的に入力される前記訂正結果信号に基づいて適宜、エラー訂正パケット数または変調方式の変更を行なうように構成してもよい。
【００７５】
実施の形態６．
図８は、実施の形態６における受信装置２５６の構成を示すブロック図である。なお、図８において前記実施の形態１ないし５において説明した構成と同様の構成については同一の符号を付記し、説明を省略する。
【００７６】
図８において、第１の復調／復号部５から出力された復調信号は、第１の誤り訂正部３０に出力される。第１の誤り訂正部３０は、前記復調信号に対して誤り訂正処理を行ない、前記復調信号に基づいて得られた映像信号または音声信号をビデオ受信部６または音声受信部７に出力する。また、第１の誤り訂正部３０は、前記復調信号に誤り訂正が不可能なデータがあった場合、当該データに対応する訂正不可信号を誤り情報蓄積部３１に出力する。
【００７７】
誤り情報蓄積部３１は、前記訂正不可信号に対応する誤り数を記録する。なお、以下の説明においては誤り情報蓄積部３１において誤り数を記録する場合について説明するが、当該誤り情報蓄積部３１には、例えば、ビットエラーレートを記憶してもよい。すなわち、当該誤り情報蓄積部３１には、前記復調信号に対応するデータにおける誤りに対応する情報が記憶されればよい。
【００７８】
誤り情報蓄積部３１は、記録した前記誤り数に対応する信号を受信状態予測部３２に出力する。そして受信状態予測部３２は、前記誤り情報蓄積部３１から入力された信号に対応する誤り数に基づいて当該受信装置２５６における受信状態の時間的な変動を予測する。
【００７９】
図９は、前記受信状態予測部３２における前記受信状態の予測を説明するための説明図である。当該受信状態予測部３２は、前記誤り情報蓄積部３１から入力された信号に基づいて図９に示すように、当該受信装置２５６が放送信号を受信した時刻と、当該放送信号に対応するデータに含まれる誤り数とを対応付けて記録する。
【００８０】
当該受信状態予測部３２は、記録した前記時刻と前記誤り数とに基づいて受信状態の変動を予測する。具体的には、所定の時間内に前記誤り情報蓄積部３１から入力された信号に基づいて、前記所定時間内における前記時刻と前記誤り数とを関数化し、当該関数に基づいて外挿を行なうことにより、前記誤り数が予め定めるしきい値を越える時刻を検出する。
【００８１】
なお、前記図９においては、前記誤り情報蓄積部３１から信号が３回入力される間の時間を前記所定の時間ｔとして、当該所定の時間ｔにおける前記時刻と前記誤り数とを１次関数化し、当該１次関数を外挿することによって、前記誤り数が所定のしきい値Ｔｈを越える時刻ｔ１を検出する。したがって、当該受信状態予測部３２は、前記時刻ｔ１において受信装置２５６の受信状態が悪くなると予測する。なお、前記所定の時間および前記しきい値は、当該受信装置２５６を使用するシステムの環境に応じて任意に設定することができる。
【００８２】
そして、受信状態予測部３２は、前記外挿を行なった結果、前記誤り数が予め定めるしきい値を越える時刻において当該受信装置２５６が受信する放送信号に対応するデータを予め送信局１１に要求する。具体的には、当該要求するデータに対応する信号（以下、要求信号という。）を前記送信局１１に送信する。
【００８３】
前記送信局１１は受信状態予測部３２から出力された前記要求信号を受信すると、当該データ要求信号に対応する補完信号を受信装置２５６に出力する。
【００８４】
送信局１１から送信された補完信号は、当該受信装置２５６における第２の回線Ｉ／Ｆ１３に入力され、第２の高周波増幅／検波部１４から第２の誤り訂正部３１までの各部の処理によって復調、誤り訂正等が行なわれる。そして、復調、誤り訂正等をした結果得られる前記補完データに対応する映像信号はビデオ受信部１６を介して第１のバッファ４１に出力される。また、前記補完データに対応する音声信号は音声受信部１７を介して第２のバッファ４２に出力される。なお、第１のバッファ４１および第２のバッファ４２以降の動作は、前記実施の形態５における受信装置２５５の動作と同様であるので説明を省略する。
【００８５】
以上の説明のように、実施の形態６における受信装置２５６によれば、前記第１の誤り訂正部３０の出力に基づいて、前記補完データを予め取得することができる。したがって、当該受信装置２５６の受信状態が悪くなった場合においても、映像または音声の再生を良好に行なうことができる。
【００８６】
実施の形態７．
図１０は、実施の形態７における受信装置２５７の構成を示すブロック図である。なお、以下の説明においては、前記実施の形態１ないし６で説明した構成と同様の構成については同一の符号を付記し、説明を省略する。
【００８７】
図１０において、第１の誤り訂正部３０は、第１の復調／復号部５から出力された復調信号に対して誤り訂正処理を行ない、当該誤り訂正処理が施された前記復調信号に基づいて得られる映像信号および音声信号をビデオ受信部６または音声受信部７にそれぞれ出力する。そして、前記ビデオ受信部６は第１の映像信号を第１のバッファ４１に出力し、前記音声受信部７は第１の音声信号を第２のバッファ４２に出力する。また、第１の誤り訂正部３０は、前記復調信号に対応するデータにおいて誤り訂正が不可能なデータがあった場合、当該データに対応する訂正不可信号を誤り情報蓄積部３１に出力する。
【００８８】
前記誤り情報蓄積部３１は、前記訂正不可信号が入力されると、当該訂正不可信号に対応する誤り数を記憶する。また、当該入力された訂正不可信号を送信局１１に出力する。前記訂正不可信号を受信した送信局１１は、当該訂正不可信号に対応する補完信号を受信装置２５７に送信した場合に必要な料金に関する情報（以下、課金情報という。）に対応する信号（以下、課金信号という。）を前記誤り情報蓄積部３１に出力する。
【００８９】
誤り情報蓄積部３１は、前記送信局１１から送信された前記課金信号を受信すると、当該課金信号および前記訂正不可信号をグラフィックスジェネレータ２２に出力する。
【００９０】
グラフィクスジェネレータ２２は、誤り情報蓄積部３１から出力された前記課金信号および前記訂正不可信号に基づいて、当該受信装置２５７の受信状態を示す第１の映像および課金情報に対応する料金を示す第２の映像を生成し、これらの映像に対応する信号を加算器３３に出力する。
【００９１】
加算器３３は、前記第１のバッファ４１から出力された信号と、前記グラフィクスジェネレータ２２から出力された信号とを合成する。なお、当該加算器３３によって前記合成が行なわれることにより、放送局から送信された放送信号に対応する映像、前記第１の映像および前記第２の映像の３つの映像が、例えば図１１のようにモニタ８の画面上に表示される。
【００９２】
そして、受信装置２５７のユーザーは、前記第１の映像により当該受信装置２５７の受信状態を確認する。ユーザーは当該確認の結果、受信装置２５７の受信状態が悪い場合には、前記第２の映像により前記補完データを得た場合に必要な料金を確認して、誤り訂正不可能なデータに対応する補完データを前記送信局１１から取得するか否かを判断する。
【００９３】
前記判断の結果、前記補完データを前記送信局１１から取得する場合、ユーザーは受信装置２５７における操作部を操作して前記補完データを取得する旨の入力をする。そして、ユーザーが前記操作部を操作すると、当該操作部から前記誤り情報蓄積部３１に信号が入力される。
【００９４】
誤り情報蓄積部３１は、前記操作部からの信号を受信すると、記憶している前記訂正不可信号を再度、送信局１１に出力する。前記訂正不可信号を再度受信した送信局１１は、当該訂正不可信号に対応する補完信号を受信装置２５７に出力する。
【００９５】
そして、前記補完信号は、第２の回線Ｉ／Ｆ１３によって受信され、第２の高周波増幅／検波部１４から第２の誤り訂正部３１までの各構成によって復調、誤り訂正等が行なわれる。そして、復調、誤り訂正等がされた結果得られる第２の映像信号は第１のバッファ４１に入力される。また、第２の音声信号は第２のバッファ４２に出力される。なお、第１のバッファ４１および第２のバッファ４２以降の動作は前記実施の形態５における受信装置２５５の動作と同様であるので説明を省略する。
【００９６】
以上の説明のように、実施の形態７における受信装置２５７によれば、当該受信装置２５７の受信状態が悪い場合に、送信局１１から補完データを得るか否かの判断をモニタ８の画面上に表示される料金を示す映像に基づいてユーザーが行なうことができる。
【００９７】
すなわち、ユーザーはモニタ８の画面上に表示された前記料金を表示する映像を見ることにより、表示された料金が高い場合には「映像の品質が悪くても放送信号による映像を見よう。」という判断を行なうことができ、一方、前記料金が安い場合には「送信局１１から補完データを取得して映像を見よう。」という判断を行なうことができる。
【００９８】
したがって、送信局１１から送信される補完信号対して課金されている場合に、当該補完信号を得るか否かをユーザーが自由に選択することができる。また、前記補完データの取得にともなう、ユーザーの無駄な出費を抑えることができる。
【００９９】
なお、以上の説明においては、モニタ８に課金情報を示す映像を表示する場合について説明したが、課金情報だけでなく、実際に取得した補完データに対応する料金の合計（以下、合計額という。）を示す映像を表示するようにしてもよい。
【０１００】
前記合計額を示す映像を表示する場合には、前記誤り情報蓄積部３１に前記課金信号を記憶しておき、前記誤り情報蓄積部３１から送信局１１に訂正不可信号が再度送信される際、当該誤り情報蓄積部３１からグラフィックジェネレータ２２に記憶した課金信号を出力する。
【０１０１】
そして、グラフィックジェネレータ２２は、既に入力された課金信号に対応する料金の合計額に、受信した課金信号に対応する料金を更に加算して、当該加算後の合計額を示す映像を生成し、当該映像に対応する信号を加算器３３に出力する。
【図面の簡単な説明】
【０１０２】
【図１】この発明の実施の形態１に係る受信装置の構成を示すブロック図である。
【図２】この発明の実施の形態２に係る受信装置の構成を示すブロック図である。
【図３】この発明の実施の形態３に係る受信装置の構成を示すブロック図である。
【図４】バーグラフを説明するための説明図である。
【図５】この発明の実施の形態４に係る受信装置の構成を示すブロック図である。
【図６】この発明の実施の形態５に係る受信装置の構成を示すブロック図である。
【図７】しきい値と変調方式との関係を説明するための説明図である。
【図８】この発明の実施の形態６に係る受信装置の構成を示すブロック図である。
【図９】受信状態予測部の動作を説明するための説明図である。
【図１０】この発明の実施の形態７に係る受信装置の構成を示すブロック図である。
【図１１】第１の映像および第２の映像を説明するための説明図である。
【符号の説明】
【０１０３】
１  放送局、２  無線放送回線、３  第１の回線インターフェース、１３  第２の回線インターフェース、４  第１の高周波増幅／検波部、１４  第２の高周波増幅／検波部、５  第１の復調／復号部、１５  第２の復調／復号部、６  ビデオ受信部、７  音声受信部、８  モニタ、９  スピーカ、１０  チャンネル選択部、１１  送信局、１２  無線通信回線、１６  ビデオ再生部、１７  音声再生部、１８  映像選択部、１９  音声選択部、２０  信号選択部、２１Ａ  第１の判定回路、２１Ｂ  第２の判定回路、２２  グラフィックスジェネレータ、２３Ａ  第１の比較遅延差算出部、２３Ｂ  第２の比較遅延差算出部、２４Ａ  第１の可変バッファ、２４Ｂ  第２の可変バッファ、２４Ｃ  第３の可変バッファ、２４Ｄ  第４の可変バッファ、２６  第１のＡ／Ｄ変換部、２７  第２のＡ／Ｄ変換部、２８  第１のＤ／Ａ変換部、２９  第２のＤ／Ａ変換部。
【図１】
2004364272.tif 000003
【図２】
2004364272.tif 000004
【図３】
2004364272.tif 000005
【図４】
2004364272.tif 000006
【図５】
2004364272.tif 000007
【図６】
2004364272.tif 000008
【図７】
2004364272.tif 000009
【図８】
2004364272.tif 000010
【図９】
2004364272.tif 000011
【図１０】
2004364272.tif 000012
【図１１】
2004364272.tif 000013